(57)【要約】【課題】ユーザーが、電源オンの操作後、迅速に起動を確認することができるプロジェクター、プログラムおよびプロジェクターの起動方法を提供する。【解決手段】光源ランプ４１を含む光学部１６と、光学部１６を冷却するための冷却部１３と、プロジェクター１０の起動処理を制御する制御部１５と、を備え、制御部１５は、光源ランプ４１の点灯指令や冷却ファン２５の駆動開始指令を、オペレーションシステムの連動を伴うメイン起動処理（オペレーションシステムの起動処理、プログラムおよびデバイスの初期化処理など）に先行して行うことを特徴とする。【選択図】図１
2010210967.tif 000002
【特許請求の範囲】
【請求項１】
光源を含む光学手段と、
前記光源の点灯処理を含む起動処理を制御する起動処理制御手段と、を備え、
前記起動処理制御手段は、前記光源の点灯指令を、他の処理に先行して行うように制御することを特徴とするプロジェクター。
【請求項２】
前記起動処理制御手段は、オペレーションシステムの連動を伴うメイン起動処理に先行して、前記光源の点灯指令を含む簡易起動処理を行うように制御することを特徴とする請求項１に記載のプロジェクター。
【請求項３】
前記メイン起動処理は、プログラムおよびデバイスの初期化処理を含むことを特徴とする請求項２に記載のプロジェクター。
【請求項４】
プロジェクター内部を冷却するための冷却手段をさらに備え、
前記簡易起動処理は、前記冷却手段の駆動開始指令を含むことを特徴とする請求項２または３に記載のプロジェクター。
【請求項５】
前記メイン起動処理は、前記簡易起動処理における前記冷却手段の駆動開始指令に対して、実際に前記冷却手段が駆動しているか否かの監視処理を含むことを特徴とする請求項４に記載のプロジェクター。
【請求項６】
前記メイン起動処理は、前記簡易起動処理における前記光源の点灯指令に対して、実際に前記光源が点灯しているか否かの監視処理を含むことを特徴とする請求項２ないし５のいずれか１項に記載のプロジェクター。
【請求項７】
コンピューターを、請求項１ないし６のいずれか１項に記載のプロジェクターにおける各手段として機能させるためのプログラム。
【請求項８】
プロジェクターが、
光源の点灯処理を含む起動処理時において、前記光源の点灯指令を、他の処理に先行して行うことを特徴とするプロジェクターの起動方法。
【発明の詳細な説明】
【技術分野】
【０００１】
プロジェクター、プログラムおよびプロジェクターの起動方法に関するものである。
【背景技術】
【０００２】
一般的に、プロジェクターの起動処理は、プログラムおよびデバイスの初期化を行った後、光源ランプ（光源）の点灯処理を行う（例えば、特許文献１参照）。図４は、従来のプロジェクターの起動処理の概要を示すフローチャートである。図４に示すように、従来のプロジェクターは、電源がオンされると、プログラムをＲＡＭ（Random  Access  Memory）へコピーする（Ｓ３１）。その後、プログラムおよびデバイスの初期化処理を行い（Ｓ３２）、初期化処理の終了後、光源ランプの点灯指令、および冷却ファンの駆動開始指令を行う（Ｓ３３）。さらにその後、実際に光源ランプが点灯しているか否かの監視、および実際に冷却ファンが駆動しているか否かの監視を開始する（Ｓ３４）。
【先行技術文献】
【特許文献】
【０００３】
【特許文献１】特開２００６−１６２９２４号公報
【発明の概要】
【発明が解決しようとする課題】
【０００４】
近年、プロジェクターは、多機能化、ネットワーク化し、それを実現するためのプログラムサイズも大きくなってきている。そのため、プログラムの初期化を行った後、光源ランプの点灯処理を行う従来の点灯処理方法では、電源オン直後のＵＩ操作に対する反応が遅くなっているため、光源ランプの点灯までに時間がかかるといった問題がある。このように、光源ランプの点灯までに時間がかかると、ユーザーに心理的な負担を掛けるばかりでなく、電源ボタンを２度押ししてしまうなどの誤操作の恐れがあり、改善が望まれている。
【０００５】
本発明は、上記の問題点に鑑み、ユーザーが、電源オンの操作後、迅速に起動を確認することができるプロジェクター、プログラムおよびプロジェクターの起動方法を提供することを目的とする。
【課題を解決するための手段】
【０００６】
本発明のプロジェクターは、光源を含む光学手段と、光源の点灯処理を含む起動処理を制御する起動処理制御手段と、を備え、起動処理制御手段は、光源の点灯指令を、他の処理に先行して行うように制御することを特徴とする。
【０００７】
本発明のプロジェクターの起動方法は、プロジェクターが、光源の点灯処理を含む起動処理時において、光源の点灯指令を、他の処理に先行して行うことを特徴とする。
【０００８】
これらの構成によれば、起動処理において、光源の点灯指令を、他の処理に先行して行うため、電源オンから光源の点灯までの時間を短縮することができる。これにより、ユーザーは、電源オン操作を行った後、プロジェクターの起動を迅速に確認することができるため、電源ボタンの２度押しなどの誤操作を防止することができる。
なお、光源は、光源ランプで構成されても良いし、固体光源で構成されても良い。
【０００９】
上記に記載のプロジェクターにおいて、起動処理制御手段は、オペレーションシステムの連動を伴うメイン起動処理に先行して、光源の点灯指令を含む簡易起動処理を行うように制御することが好ましい。
【００１０】
上記に記載のプロジェクターにおいて、メイン起動処理は、プログラムおよびデバイスの初期化処理を含むことが好ましい。
【００１１】
これらの構成によれば、起動処理の中で時間を要する、オペレーションシステムの起動処理や、プログラムおよびデバイスの初期化処理を、光源の点灯指令の後に実行するため、その分、電源オンから光源の点灯までの時間を短縮することができ、効果的である。
【００１２】
上記に記載のプロジェクターにおいて、プロジェクター内部を冷却するための冷却手段をさらに備え、簡易起動処理は、冷却手段の駆動開始指令を含むことが好ましい。
【００１３】
この構成によれば、冷却手段（冷却ファン）の駆動開始指令が、光源の点灯指令と同じ簡易起動処理に含まれるため、光源の点灯に合わせて冷却手段の駆動を開始することができる。これにより、光源の点灯指令を他の処理に先行して行う本発明においても、冷却手段の駆動開始の遅れに伴う、プロジェクター内部（特に、光学手段周り）の温度上昇を防止することができる。また、冷却手段の駆動開始指令を、メイン起動処理に先行して行うことで、ユーザーは、聴覚的にもプロジェクターの起動を、迅速に確認することができる。
【００１４】
上記に記載のプロジェクターにおいて、メイン起動処理は、簡易起動処理における冷却手段の駆動開始指令に対して、実際に冷却手段が駆動しているか否かの監視処理を含むことが好ましい。
【００１５】
上記に記載のプロジェクターにおいて、メイン起動処理は、簡易起動処理における光源の点灯指令に対して、実際に光源が点灯しているか否かの監視処理を含むことが好ましい。
【００１６】
これらの構成によれば、実際に冷却手段が駆動しているか否かの監視処理や、実際に光源が点灯しているか否かの監視処理を、メイン起動処理内で行うため（後回しにすることができるため）、簡易起動処理を迅速に終了させることができる。また、仮に光源が点灯しなかった場合も、支障なくメイン起動処理に移行することができる。
【００１７】
本発明のプログラムは、コンピューターを、上記に記載のプロジェクターにおける各手段として機能させるためのものであることを特徴とする。
【００１８】
このプログラムを用いることにより、電源オン後、迅速に光源ランプを点灯させることができるプロジェクターを実現することができる。
【図面の簡単な説明】
【００１９】
【図１】本発明の一実施形態に係るプロジェクターの制御構成を示すブロック図である。
【図２】プロジェクターの起動処理の概要を示すフローチャートである。
【図３】プロジェクターの起動処理の詳細を示すフローチャートである。
【図４】従来のプロジェクターの起動処理の概要を示すフローチャートである。
【発明を実施するための形態】
【００２０】
以下、添付した図面を参照して、本発明の一実施形態に係るプロジェクター、プログラムおよびプロジェクターの起動方法について説明する。図１は、プロジェクター１０の制御構成を示すブロック図である。同図に示すように、プロジェクター１０は、信号入力部１１、操作部１２、冷却部１３（冷却手段）、電源部１４および制御部１５および光学部１６（光学手段）を備えている。
【００２１】
信号入力部１１は、パーソナルコンピュータやビデオレコーダ等の外部機器５１から画像データを取得する。なお、外部機器５１ではなく、外部記憶媒体（図示省略）から画像データ等を取得するようにしても良い。
【００２２】
操作部１２は、操作パネル２１およびリモコン受光器２３を有している。操作パネル２１は、プロジェクター１０本体に設けられ、各種操作を行うためのボタン群や、プロジェクター１０の各種状態を示すＬＥＤ群を有している。ボタン群には、電源のオン／オフを切り替えるための電源ボタンが含まれる。また、ＬＥＤ群には、プロジェクター１０がスタンバイ状態である旨を示すためのＬＥＤ（状態インジケーター）が含まれる。リモコン２２は、プロジェクター１０本体を遠隔操作するためのものであり、操作パネル２１と同様に、各種ボタン群を有している。リモコン受光器２３は、リモコン２２からの操作信号（赤外線信号）を受光する。
【００２３】
冷却部１３は、冷却ファン２５およびファン駆動部２６を有している。冷却ファン２５は、その回転により、プロジェクター１０の内部（特に光学部１６周り）の温度を冷却させる。ファン駆動部２６は、制御部１５からの駆動指令に基づいて、冷却ファン２５を駆動する。
【００２４】
電源部１４は、外部電源５２から供給された電力を、プロジェクター１０の各部に供給する。
【００２５】
制御部１５は、ＣＰＵ（Central  Processing  Unit）３１、ＲＯＭ（Read  Only  Memory）３２、ＲＡＭ（Random  Access  Memory）３３および映像信号処理部３４を有している。請求項における「起動処理制御手段」は、ＣＰＵ３１、ＲＯＭ３２およびＲＡＭ３３を主要な構成要素とする。ＣＰＵ３１は、各種演算処理を行う中央処理装置であり、バス１８を介して各部との信号の入出力を行うことによりプロジェクター１０を統括制御する。本実施形態では、特に起動時における処理（以下、「起動処理」と称する）を制御する。ＲＯＭ３２は、ＣＰＵ３１が各種演算処理を行うために用いられる制御プログラムおよび制御データを記憶している。当該制御プログラムには、画像処理プログラムが含まれる。また、ＲＯＭ３２には、基本ソフトウェアであるＯＳ（Operating  System）も記憶されている。ＲＡＭ３３は、スタティックＲＡＭなどを適用可能であり、ＣＰＵ３１が各種演算処理を行う際の作業領域として用いられる。映像信号処理部３４は、信号入力部１１が取得した画像データに対し、ＲＯＭ３２内の画像処理プログラムに基づいて、所定の画像処理を実行する。
【００２６】
光学部１６は、スクリーンＳＣ上に、画像を投写するためのものであり、光源ランプ４１（光源）、液晶ライトバルブ４２、投写レンズ４３、ランプ駆動部４４およびライトバルブ駆動部４５を有している。光源ランプ４１としては、ハロゲンランプ、メタルハライドランプまたは高圧水銀ランプを適用可能である。また、光源ランプ４１に代えて、レーザーやＬＥＤなどの固体光源を用いても良い。液晶ライトバルブ４２は、一対の透明基板間に液晶が封入された液晶パネル等によって構成され、各透明基板の内面には、液晶に対して微小領域毎に駆動電圧を印加可能な透明電極が、画素としてマトリクス状に形成されている。ランプ駆動部４４は、制御部１５からの点灯指令に基づいて、光源ランプ４１を点灯させる。ライトバルブ駆動部４５は、液晶ライトバルブ４２の各画素に、画像データに応じた駆動電圧を印加することにより、各画素の光透過率を設定する。上記の構成により、光学部１６では、光源ランプ４１から射出された照明光が、液晶ライトバルブ４２を透過することによって変調される。また、変調された画像光は、不図示の光合成光学系（ダイクロイックプリズムなど）により画素毎に合成され、投写レンズ４３によってスクリーンＳＣ上に投写される。
【００２７】
次に、図２および図３を参照し、プロジェクター１０の起動処理について説明する。図２は、起動処理の概要を示すフローチャートである。同図に示すように、プロジェクター１０（ＣＰＵ３１）は、電源オンのイベントを検出すると、ランプ駆動部４４に対して光源ランプ４１の点灯指令を行うと共に、ファン駆動部２６に対して冷却ファン２５の駆動開始指令を行う。さらに、ＲＯＭ３２に記憶されている冷却ファン２５の駆動確認常駐プログラムの起動指令を行う（Ｓ０１）。なお、請求項における「簡易起動処理」とは、当該フローチャートのＳ０１の工程を指す。
【００２８】
続いて、プロジェクター１０は、ＲＯＭ３２内のプログラム（ＯＳを含む）をＲＡＭ３３へコピーし（Ｓ０２）、プログラムおよびデバイスの初期化処理を行う（Ｓ０３）。その後、光源ランプ４１の点灯監視（実際に光源ランプ４１が点灯しているか否かの確認）と、冷却ファン２５の駆動監視（実際に冷却ファン２５が駆動しているか否かの確認）とを開始し（Ｓ０４）、通常処理に移行する。なお、請求項における「メイン起動処理」とは、当該フローチャートのＳ０２〜Ｓ０４の工程を指す。
【００２９】
このように、本実施形態のプロジェクター１０における起動処理は、従来のプロジェクターにおける起動処理（図４参照）と比較して、光源ランプ４１の点灯指令や冷却ファン２５の駆動開始指令を、他の処理に先行して行うことを特徴としている。これにより、ユーザーによる電源オン操作から、光源ランプ４１の点灯までの時間を短縮することができ、ユーザーが電源ボタンを押したか否か（プロジェクター１０が起動されているか否か）を迅速に確認することができるといった効果を奏する。
【００３０】
続いて、図３のフローチャートを参照し、プロジェクター１０の起動処理について、さらに詳細に説明する。同図に示すように、プロジェクター１０（ＣＰＵ３１）は、ユーザーによりＡＣコンセントが挿入されると、電源オン操作を受け付けるための初期化処理を行う（Ｓ１１）。具体的には、ＣＰＵ３１のプログラム処理を開始し、操作パネル２１内の所定のＬＥＤを点灯させることにより、スタンバイ状態であることを報知する。
【００３１】
続いて、電源オンのイベントを監視する（Ｓ１２）。電源オンのイベントは、ユーザーによる操作パネル２１やリモコン２２に設けられた電源ボタンの押下以外に、ＵＡＲＴ（Universal  Asynchronous  Receiver  Transmitter）、ＵＳＢ（Universal  Serial  Bus）、ネットワークからのコマンドによる指令が考えられる。
【００３２】
電源オンのイベントが検出されると（Ｓ１２：Ｙｅｓ）、直後に光源ランプ４１の点灯指令を行う（Ｓ１３）。また、点灯指令後、冷却ファン２５の駆動開始指令を行う（Ｓ１４）。その後、冷却ファン２５の駆動確認およびシステムのハングを監視する常駐プログラムの起動指令を行う（Ｓ１５）。当該常駐プログラムは、タイマーの割込みハンドラにより確認を行うものでも良いし、簡単なプログラムでも良い。
【００３３】
続いて、ＲＯＭ３２内のプログラムやＯＳをＲＡＭ３３へコピーし（Ｓ１６）、ＲＡＭ３３上のプログラムを実行する（Ｓ１７）。つまり、コピーされたＲＡＭ３３のアドレスを、ＰＣ（Program  Counter）に代入する。Ｓ１７では、プログラムの初期化処理およびデバイスの初期化処理を行う（図２のフローチャートにおけるＳ０３に相当）。
【００３４】
続いて、光源ランプ４１の点灯監視を開始し（Ｓ１８）、さらに冷却ファン２５の駆動監視を開始する（Ｓ１９）。その後、Ｓ１５で起動指令を行った常駐プログラムの停止指令を行う（Ｓ２０）。なお、停止指令ではなく、ＲＡＭ３３から常駐プログラムを削除しても良い。
【００３５】
その後は、イベントやユーザーインプットを受け付け（Ｓ２１）、イベント発生時には（Ｓ２１：Ｙｅｓ）、イベントに応じた処理を行う（Ｓ２２）。Ｓ２１およびＳ２２は、図２のフローチャートにおける通常処理となる。
【００３６】
以上説明したとおり、本実施形態のプロジェクター１０によれば、起動処理において、光源ランプ４１の点灯指令を、他の処理に先行して行うため、電源オンから光源ランプ４１の点灯までの時間を短縮することができる。これにより、ユーザーは、電源オン操作を行った後、プロジェクター１０の起動を迅速に確認することができるため、電源ボタンの２度押しなどの誤操作を防止することができる。
【００３７】
また、上記の「他の処理」には、起動処理の中で時間を要する、ＯＳの連動を伴う処理（ＯＳの起動処理、プログラムおよびデバイスの初期化処理）が含まれるため、プログラムサイズが大きな高機能のプロジェクター１０ほど、高い効果を得ることができる（電源オンから光源ランプ４１の点灯までの時間の短縮量が大きくなる）。
【００３８】
また、簡易起動処理では、光源ランプ４１の点灯指令に合わせて冷却ファン２５の駆動開始指令を行うため、光源ランプ４１の点灯と共に冷却ファン２５の駆動開始を早めることができる。また、冷却ファン２５の駆動により、ユーザーは、聴覚的にもプロジェクター１０の起動を確認することができる。
【００３９】
また、光源ランプ４１の点灯指令に対して実際に光源ランプ４１の点灯指令が点灯しているか否かの監視処理は、メイン起動処理内で行うため、簡易起動処理を迅速に終了させることができる。また、仮に光源ランプ４１が点灯しなかった場合も、支障なくメイン起動処理に移行することができる。
【００４０】
なお、上記の実施形態では、ＲＯＭ３２からＲＡＭ３３にプログラムをコピーして実行する場合を例示したが、ＲＯＭ３２上でプログラムを実行しても良い。
【００４１】
また、上記の実施形態では、簡易起動処理内で、冷却ファン２５の駆動確認常駐プログラムを起動するものとしたが（図２のフローチャートにおけるＳ０１，図３のフローチャートにおけるＳ１５）、これを省略しても良い。この場合、図３のフローチャートのＳ１４における、冷却ファン２５の駆動開始指令に対する駆動確認は、メイン起動処理（図３のフローチャートにおけるＳ１９）にて行うこととなる。
【００４２】
また、上記の実施形態では、ＲＡＭ３３として、スタティックＲＡＭを適用した場合を例示したが、スタティックＲＡＭでなくても良く、ＤＲＡＭなどのランダムにアクセスできるメモリで良い。また、ＣＰＵや、他のＡＳＩＣに内蔵されていても良いし、外部デバイスとして独立していても良い。
【００４３】
また、上記の実施形態に示したプロジェクター１０の各構成要素をプログラムとして提供することが可能である。また、そのプログラムを各種記録媒体（ＣＤ−ＲＯＭ、フラッシュメモリ等）に格納して提供することも可能である。すなわち、コンピューターを、プロジェクター１０の各部として機能させるためのプログラム、およびそれを記録した記録媒体も、本発明の権利範囲に含まれるものである。
【００４４】
また、上記の実施形態では、透過型液晶表示方式を採用しているが、反射型液晶表示方式、ＣＲＴ表示方式やライトスイッチ表示方式（マイクロミラーデバイス方式）など、プロジェクター１０の表示原理は問わない。その他、本発明の要旨を逸脱しない範囲で、適宜変更が可能である。
【符号の説明】
【００４５】
１０…プロジェクター  １２…操作部  １３…冷却部  １４…電源部  １５…制御部  １６…光学部  ２１…操作パネル  ２２…リモコン  ２５…冷却ファン  ２６…ファン駆動部  ４１…光源ランプ  ４４…ランプ駆動部
【図１】
2010210967.tif 000003
【図２】
2010210967.tif 000004
【図３】
2010210967.tif 000005
【図４】
2010210967.tif 000006